(57)【特許請求の範囲】
【請求項１】
シリアル・デジタル・テレビジョン波形モニタ用のデジタル・カーソルを発生する回路であって、
入力された可変デジタル・カーソル値を蓄積する蓄積手段と、
上記シリアル・デジタル・テレビジョン波形モニタの表示器上に表示するために、上記蓄積手段からの上記可変デジタル・カーソル値と、シリアル・デジタル・テレビジョン信号を表すデジタル信号との間での選択を行う選択手段と、
デジタル・カーソル・オン命令と、上記シリアル・デジタル・テレビジョン信号の所定位置を示す信号とから上記選択手段用の選択信号を発生する選択信号発生手段とを具え、
上記選択手段が、上記選択信号に応じて上記所定位置の上記デジタル信号に上記可変デジタル・カーソル値を挿入することを特徴とするシリアル・デジタル・テレビジョン波形モニタ用デジタル・カーソル発生回路。
【請求項２】
シリアル・デジタル・テレビジョン波形モニタ用のデジタル・カーソルを発生する方法であって、
入力された可変デジタル・カーソル値をレジスタに蓄積し、
上記シリアル・デジタル・テレビジョン波形モニタの表示器上に表示するために、上記レジスタからの上記可変デジタル・カーソル値と、シリアル・デジタル・テレビジョン信号を表すデジタル信号との間での選択を行い、
デジタル・カーソル・オン命令と、上記シリアル・デジタル・テレビジョン信号の所定位置を示す信号とから上記選択過程用の選択信号を発生し、
上記選択信号に応じて、上記所定位置の上記デジタル信号に上記可変デジタル・カーソル値を挿入することを特徴とするシリアル・デジタル・テレビジョン波形モニタ用デジタル・カーソル発生方法。
【発明の詳細な説明】
【０００１】
【発明の属する技術分野】
本発明は、シリアル・デジタル・テレビジョン信号の表示、特に、シリアル・デジタル・テレビジョン波形モニタ用のデジタル・カーソルの発生に関する。
【０００２】
【従来の技術】
現在、ＣＣＩＲ６０１により、テレビジョン信号は、シリアル・デジタル信号として伝送されている。現在の技術では、シリアル・デジタル信号を表し、スクランブルされたＮＲＺＩ信号を用いている。このようにスクランブルされているため、この形式で実際の値を求めるのは困難である。装置の２つの部分が相互接続されたが、適切に機能しない場合、伝送が正確か否かを判断する必要がある。そのため、英国のビュートロニックス社は、パーソナル・コンピュータと一緒に用いるデジタル・テレビジョン信号用の測定器システム「デジビュー」を開発した。シリアル入力カード（回路基板）は、ＣＣＩＲ６５６にしたがって、シリアル・デジタル信号をパラレル・デジタル信号に変換する。「デジビュー」の拡張カードは、パラレル・デジタル信号を受け付け、コンピュータ・スクリーン上に表又はグラフの形式で表示を行う。他のアプローチとしては、米国オレゴン州ウィルソンビルに所在し本願出願人であるテクトロニクス社が製造しているＷＦＭ６０１型シリアル・コンポーネント・モニタを用いて、シリアル・デジタル信号を表示することである。このモニタでは、シリアル・デジタル信号をパラレル・デジタル信号に変換し、逆スクランブルし（又は、逆スクランブルした後に変換し）、その結果を個別のコンポーネント信号Ｙ、Ｐｂ、Ｐｒに分離している。次に、個別のコンポーネント信号をアナログ信号に変換し、適切にろ波する。その結果のアナログ信号を、陰極線管、液晶表示器などの適切な表示器により従来と同様に表示する。かかる波形モニタは、１９９４年５月１０日に発行されたジェームズ・エル・トールマンらの米国特許第５３１１２９５号「コード変換したシリアル・デジタル信号のＲＧＢ表示」に記載されている。
【０００３】
【発明が解決しようとする課題】
表示されたアナログ波形に対して測定を行うために、波形モニタは、カーソルを与えて、時間及び電圧値を読み取れるようにしている。これらカーソルは、アナログ波形に追加される可変アナログ電圧値の形式でもよい。かかるカーソルについては、１９９１年９月１０日に発行された米国特許第５０４７７０９号「校正された電圧カーソル」に記載されている。カーソルの電圧レベルをデジタル値に変換し、電圧又は時間のいずれかを表示してもよい。
【０００４】
そこで、シリアル・デジタル信号に挿入されて、カーソル及びシリアル・デジタル信号間の精度を維持すると共に、カーソル値の読みを直接与えることができるアナログ的なデジタル・カーソルが望まれている。
【０００５】
したがって、本発明の目的は、デジタル値をシリアル・デジタル信号の選択された位置に挿入して、シリアル・デジタル・テレビジョン波形モニタ用のデジタル・カーソルを発生する回路及び方法の提供にある。
【０００６】
【課題を解決するための手段】
本発明によれば、シリアル・デジタル信号を逆スクランブルし、パラレル・デジタル信号に変換する。このパラレル・デジタル信号をコプロセッサ（ｃｏ−ｐｒｏｃｅｓｓｏｒ：補助プロセッサ）に入力して、デジタル・カーソルをパラレル・デジタル信号に追加する。マイクロプロセッサは、カーソル値（カーソル位置の値）用に、フロント・パネルからの信号を受ける。このマイクロプロセッサは、このカーソル値をコプロセッサ内のレジスタ（蓄積手段）にロードする。次に、このレジスタからのカーソル値をパラレル・デジタル信号と共にマルチプレクサ（選択手段）に入力する。デジタル・カーソル・モードが選択されると、マイクロプロセッサは、デジタル・カーソル・オン信号（デジタル・カーソルをオンにすることを指示する信号）をライン選択信号（シリアル・デジタル・テレビジョン信号の所定位置、即ち、カーソルが挿入される期間を示す信号）と共にコプロセッサに供給する。これらデジタル・カーソル・オン信号及びライン選択信号をコプロセッサ内の選択信号発生手段で組み合わせて、マルチプレクサ用の選択信号を発生する。ライン選択信号がデジタル・カーソル・オン信号と共に存在すると、選択信号により、マルチプレクサがパラレル・デジタル信号の代わりにデジタル・カーソル値を出力端に通過させる。その結果の組み合わされたパラレル・デジタル信号が、デジタル・アナログ変換器及び適切なフィルタにより従来処理されて、表示器上に、カーソルも含まれる波形表示を行う。マイクロプロセッサは、リードアウト（読出し）表示回路による表示のために、文字数字の値も発生する。これら文字数字の値と波形とをスイッチに入力する。このスイッチは、２つの表示が同時に表示されるようなレートで、２つの入力の一方又は他方を選択して、表示器上に表示する。
【０００７】
本発明のその他の目的、利点及び新規な特徴は、添付図を参照した以下の詳細説明から理解できよう。
【０００８】
【発明の実施の形態】
図１は、本発明によりデジタル・カーソルを表示するシリアル・デジタル・テレビジョン波形モニタのブロック図である。１対のシリアル・デジタル信号Ａ及びＢは、夫々バッファ１２及び１４を介して入力選択スイッチ１６に供給される。この入力選択スイッチ１６で選択されたシリアル・デジタル信号は、変換回路１８により処理される。この変換回路１８は、必要に応じてシリアル・デジタル信号を逆スクランブルし、シリアル・デジタル信号をパラレル・デジタル信号に変換する。なお、図において、信号線に付加した斜線及び数字は、その信号線が数字で示すビット数のパラレル信号線であることを表す。変換回路１８からのパラレル・デジタル信号をコプロセッサ２０に入力する。コプロセッサ２０からの出力信号は、このコプロセッサ２０で変調されたパラレル・デジタル信号となる。コプロセッサ２０からのパラレル・デジタル信号をデジタル・アナログ（Ｄ／Ａ）変換及びフィルタ回路（以下、単にＤＡＣ回路ということもある）２２に供給する。ＤＡＣ回路２２からの出力信号は、アナログ・コンポーネント信号Ｙ、Ｐｂ、Ｐｒである。これらアナログ信号は、表示スイッチ２４を介して、陰極線管（ＣＲＴ）、液晶表示器などの表示器２６に入力される。表示スイッチ２４の別の入力信号は、リードアウト表示回路２８からの文字数字リードアウト信号である。リードアウト表示回路２８には、マイクロプロセッサ（μＰ）３０からの値もロードされる。なお、マイクロプロセッサ３０は、フロント・パネル（Ｉ／Ｆ）３２を介して操作者とのインタフェースも行う。また、このマイクロプロセッサ３０は、コマンド（制御）、データ及びアドレスをコプロセッサ２０に供給する。
【０００９】
図２に示すようにフロント・パネル３２は、表示器２６のスクリーン、いくつかの周辺のボタン・スイッチ３４及びノブ３６を含んでいる。説明を簡単にするために他の入力機能については示さないが、これらには、当業者に周知の如く、倍率、ライン、フィールドなどを選択するのに用いるボタン・スイッチがある。表示器２６には、波形３８が表示されると共に、この表示器の縁部分の種々の領域内に文字数字情報が表示される。例えば、測定領域４０であるスクリーンの上側には、種々の測定結果が表示される。また、スクリーンの右側は、メニュー領域４２であり、隣接したボタン・スイッチ３４に関連した選択情報が表示され、下側は、機能領域４４であり、隣接したノブ３６の機能を説明する。図２に示す表示は、カーソル・モードの１つであり、メニュー選択が行われた結果、このモードとなっている。デジタル・カーソル・モードを選択するには、表示器２６のラベル「ＨＥＸ」表示付近のボタン・スイッチ３４を押す。点線４６は、選択されたラベルを囲んでいる。よって、ノブ３６により、「ＣＵＲＳＯＲ  １」及び「ＣＵＲＳＯＲ２」と表示されたように、カーソルを制御できる。表示器２６の一部としてタッチ感応スクリーンを用いた場合、スクリーンに隣接したボタン３４を押すのではなく、スクリーンに接触することによりメニューの選択ができる。カーソルの値は、適切なラベルで測定領域４０に示される。操作者がカーソルの１つに関連したノブ３６を回転させると、ノブを回転した方向に応じて、スクリーン上のカーソル指示４８が波形に対して上又は下方向に移動する。
【００１０】
値の変更に応じて、ノブ情報をマイクロプロセッサ３０に入力する。値の変化は、マイクロプロセッサによりサンプリングされ、現在の値と加算又は減算されて、新たな現在の値を発生する。この新たな現在の値をリードアウト表示回路に供給して、表示器２６上に表示を行う。マイクロプロセッサ３０は、カーソル位置を表す新たな現在の値をコプロセッサ２０に入力する。より詳細には、コプロセッサ２０のブロック図である図３に示す如く、新たな現在の値（ＵＰＤＩＮＨ及びＵＰＤＩＮＬ）を蓄積する場合、これら新たな現在の値をレジスタ（ＲＥＧ：蓄積手段）５０に入力する。なお、レジスタ５０に入力される他の信号ＵＰＡＤＤＲＨ、ＵＰＷＲ、ＵＰＡＤＤＲＬ及びＵＰＷＲは、これらレジスタの制御信号である。レジスタ５０に蓄積された値は、１つの入力としてマルチプレクサ（ＭＵＸ：選択手段）５２に供給される。２つのカーソルの場合、２個のレジスタ５０が存在し、各レジスタがマルチプレクサ５２の入力端Ｙ及びＺにカーソル値ＤＣＨ、ＤＣＬを供給する。マルチプレクサ５２の別の入力端Ｘの入力信号は、パラレル・デジタル信号ＤＩＮである。選択回路（選択信号発生手段）５４が、マルチプレクサ５２の選択端Ｓ用の選択信号を発生する。選択回路５４への入力信号は、マイクロプロセッサ３０からのＤＣＯＮ（デジタル・カーソル・オン）コマンドであるデジタル・カーソル命令である。デジタル・カーソル機能が適切なボタン３４により選択されると、このデジタル・カーソル命令が出力される。選択回路５４への他の入力信号は、各カーソルの位置を示すライン選択信号ＬＳＨ及びＬＳＬである。ライン選択信号に応じてカーソルが入力される位置（期間）でのカーソルは、単一の線、複数の線、線の一部又はこれらの組み合わせでもよい。また、このカーソルが挿入される位置（期間）は、垂直帰線期間中に固定されてもよいし、ビデオのアクティブ期間中であってテレビジョン信号の各フィールド中にランダムであってもよい。選択回路５４は、１対のアンド・ゲート５６及び５８の形式でもよく、これらアンド・ゲートの出力端は、マルチプレクサ５２の端子Ｓに結合している。この場合、各アンド・ゲートは、イネーブル信号として信号ＤＣＯＮを受け、位置制御信号入力としてライン選択信号ＬＳＨ及びＬＳＬを夫々受ける。信号ＤＣＯＮがオンとなり、適切なライン選択信号が発生すると、どちらのライン選択信号が存在するかに応じて、マルチプレクサ５２は、カーソル値ＤＣＨ及びＤＣＬの一方を出力信号ＤＯＵＴとして選択する。信号ＤＣＯＮがオフであるか、ライン選択信号が存在しないと、マルチプレクサ５２は、パラレル・デジタル信号を選択する。このように、デジタル・カーソル値がパラレル・デジタル信号の一部として発生するので、このパラレル・デジタル信号に作用する同じ処理がデジタル・カーソルにも作用する。すなわち、デジタル・カーソル値は、波形を表すパラレル・デジタル信号と同じ回路で処理されて、アナログ信号に変換された後も、同じアナログ回路の影響を受けるので、カーソル及びシリアル・デジタル信号間の精度を維持できる。
【００１１】
例えば、装置の一部を設定するために、この装置からのシリアル・デジタル信号をシリアル・デジタル・テレビジョン波形モニタに入力し、操作者は、下側のカーソルを、ＣＣＩＲ６０１基準の如き適切な標準により特定される黒を表す１６進の値に設定してもよい。この１６進の値は、適切なレジスタ５０にロードされ、パラレル・デジタル信号の一部として適切なライン選択信号ＬＳＬが指示するライン期間中に現れる。なお、パラレル・デジタル信号は、表示器２６上に波形３８として表示される。この１６進の値は、表示器２６の測定領域４０にて、又は機能領域４４内のカーソル機能ラベルの上部にて、表示される。次に、操作者は、上側のカーソルを、白を表す１６進の値に調整する。これら表示されたカーソルにより、操作者は、表示された波形３８と、この波形のカーソル４８に対する関係とを観察して、装置を調整できる。
【００１２】
【発明の効果】
したがって、本発明によれば、選択されたシリアル・デジタル・テレビジョン信号の位置（期間）にて、カーソルのデジタル値をデジタル・テレビジョン信号に挿入することにより、カーソル及びシリアル・デジタル信号間の精度を維持しながら、シリアル・デジタル・テレビジョン波形モニタ用のデジタル・カーソルを得ることができる。
【図面の簡単な説明】
【図１】本発明によりデジタル・カーソルを表示するシリアル・デジタル・テレビジョン波形モニタのブロック図である。
【図２】本発明によるシリアル・デジタル・テレビジョン波形モニタの表示の平面図である。
【図３】本発明によりデジタル・カーソルを発生するシリアル・デジタル・テレビジョン波形モニタ内のコプロセッサのブロック図である。
【符号の説明】
１２，１４  バッファ
１６，２４  スイッチ
１８  変換回路
２０  コプロセッサ
２２  Ｄ／Ａ及びフィルタ
２６  表示器
２８  リードアウト表示回路
３０  マイクロプロセッサ
３２  フロント・パネル
５０  レジスタ（蓄積手段）
５２  マルチプレクサ（選択手段）
５４  選択回路（選択信号発生手段）
【図１】
0003561111.tif 000002
【図２】
0003561111.tif 000003
【図３】
0003561111.tif 000004